(57)【要約】【課題】画像形成装置において、出力済みの原稿をコピーする際に、誤記や汚れを修正して出力する技術を提供する。【解決手段】画像形成装置は、コピーするドキュメントをスキャンを実行し元ドキュメントデータＤ１１を得、表示パネル部に表示する。表示パネル部上の元ドキュメントデータＤ１１において、修正部分Ａ１１がユーザーから指定される。修正部分Ａ１１の画像データは携帯端末に送信され、携帯端末の表示パネル部に拡大表示される。ユーザーの操作により、元ドキュメントデータＤ１１から修正箇所に嵌め込むコピー部分Ｃ１１が選択され、携帯端末に送信される。携帯端末では、修正部分Ａ１１にコピー部分Ｃ１１を嵌め込んだ合成済み修正部分Ａ１２を得る。合成済み修正部分Ａ１２の画像データは、画像形成装置に送信され、印刷出力される。【選択図】図２
2018023022.tif 000002
【特許請求の範囲】
【請求項１】
画像形成装置と携帯端末とを備える画像処理システムであって、
前記画像形成装置は、
印刷対象のドキュメントの画像データを取得する画像取得部と、
前記画像データを表示する表示パネルと、
前記表示パネルに表示された前記画像データから修正領域をユーザーの操作により指定し、前記修正領域の画像データを前記携帯端末へ送信するドキュメント修正部と、を備え、
前記携帯端末は、
前記画像形成装置から送信された前記修正領域の画像データを取得して表示する端末側表示パネルと、
前記端末側表示パネルに表示された前記修正領域の画像データをユーザーの操作により修正し、修正後の前記修正領域の画像データを前記画像形成装置に送信する端末側修正部を備え、
前記画像形成装置の前記ドキュメント修正部は、前記端末側修正部から送信された前記修正後の前記修正領域の画像データを前記ドキュメントの画像データに反映させて出力することを特徴とする画像処理システム。
【請求項２】
前記ドキュメント修正部は、前記画像形成装置の前記表示パネルに表示されている前記ドキュメントの画像データから、前記携帯端末の前記端末側修正部において前記端末側表示パネルに表示されている前記修正領域の画像データに合成する合成領域を抽出し前記携帯端末へ送信し、
前記端末側修正部は、前記修正領域の画像データと前記合成領域とを合成することで、前記修正後の前記修正領域の画像データを生成することを特徴とする画像処理システム。
【請求項３】
印刷対象のドキュメントの画像データを取得する画像取得工程と、
前記ドキュメントの画像データを表示する表示パネルに表示する表示工程と、
前記表示パネルに表示された前記ドキュメントの画像データから修正領域をユーザーの操作により指定を受ける修正領域指定工程と、
修正実行機器において前記修正領域の画像データを取得し修正するドキュメント修正工程と、
を備え、
前記ドキュメント修正工程は、前記修正実行機器の表示パネルに前記修正領域の画像データを表示し、前記印刷対象の前記ドキュメントの画像データから抽出した合成領域の画像データと、前記修正領域の画像データとを合成することで前記修正領域の画像データを修正し、修正後の前記修正領域の画像データを前記ドキュメントに反映させて出力することを特徴とする画像処理方法。
【発明の詳細な説明】
【技術分野】
【０００１】
本発明は、画像処理システム及び画像処理方法に係り、例えば、ドキュメントを出力する際に修正する機能を備える画像処理システム及び画像処理方法に関する。
【背景技術】
【０００２】
ＭＦＰ（複合機）等の画像形成装置では、ハード的及びソフト的に多機能化が進み、新たな機能を導入することで他社製品との差別化を図る努力がなされている。例えば、表示パネルの性能向上により、従来では主にボタン機能を実現するだけであったタッチ機能付き表示パネル（単に、「タッチパネル」と称する）が、スワイプやピンチアウトのような多様な操作が可能なタッチパネルに取って代われるようになっている。
【０００３】
ソフト的な機能の例として、レイアウト原稿を読み取り、そのレイアウト原稿に従って短時間に所望の原稿を作成する画像形成装置も提案されている（例えば特許文献１参照）。この画像形成装置は、読み取り動作を行うためのキー入力が操作部であることが検知されると、原稿から読み取った画像を記憶し、原稿上に記された領域に対応する矩形領域の座標に基づいて、記憶された画像を切り取って書き込み、画像のプリントアウトを行う。
【先行技術文献】
【特許文献】
【０００４】
【特許文献１】特開平８−２３５３７２号公報
【発明の概要】
【発明が解決しようとする課題】
【０００５】
ところで、ＭＦＰでコピーをする際に、元のドキュメントの文章の一部などに、簡単な文字（数文字程度）の間違いがあった場合や、汚れや擦れがあった場合に、元のドキュメントのデータがそのまま出力されてしまい、新たな技術の導入が求められていた。特許文献１に開示の技術は、所定のフォーマットに従って原稿を作り上げる技術であり、出力済みの原稿等を修正しようという思想はなく、そのまま適用することはできなく、この点でも別の技術が必要とされていた。
【０００６】
本発明はこのような状況に鑑みてなされたものであり、上記課題を解決できる技術を提供することを目的とする。
【課題を解決するための手段】
【０００７】
本発明は、画像形成装置と携帯端末とを備える画像処理システムであって、前記画像形成装置は、印刷対象のドキュメントの画像データを取得する画像取得部と、前記画像データを表示する表示パネルと、前記表示パネルに表示された前記画像データから修正領域をユーザーの操作により指定し、前記修正領域の画像データを前記携帯端末へ送信するドキュメント修正部と、を備え、前記携帯端末は、前記画像形成装置から送信された前記修正領域の画像データを取得し修正し、修正後の前記修正領域の画像データを前記画像形成装置に送信する端末側修正部を備え、前記画像形成装置の前記ドキュメント修正部は、前記端末側修正部から送信された前記修正後の前記修正領域の画像データを前記ドキュメントの画像データに反映させて出力する。
また、前記ドキュメント修正部は、前記画像形成装置の前記表示パネルに表示されている前記ドキュメントの画像データから、前記携帯端末の前記端末側修正部において前記修正領域の画像データに合成する領域を抽出し前記携帯端末へ送信し、前記端末側修正部は、前記修正領域の画像データと前記合成領域の画像データとを合成することで、前記修正後の前記修正領域の画像データを生成してもよい。
本発明の画像処理方法は、印刷対象のドキュメントの画像データを取得する画像取得工程と、前記画像データを表示する表示パネルに表示する表示工程と、前記表示パネルに表示された前記画像データから修正領域をユーザーの操作により指定を受ける修正領域指定工程と、修正実行機器において前記修正領域の画像データを取得し修正するドキュメント修正工程と、を備え、前記ドキュメント修正工程は、前記修正実行機器の表示パネルに前記修正領域の画像データを表示し、前記印刷対象の前記ドキュメントの画像データから抽出した合成領域の画像データと、前記修正領域の画像データとを合成することで前記修正領域の画像データを修正し、修正後の前記修正領域の画像データを前記ドキュメントの画像データに反映させて出力する。
【発明の効果】
【０００８】
本発明によると、画像形成装置において、出力済みの原稿をコピーする際に、誤記や汚れを修正して出力する技術を実現できる。
【図面の簡単な説明】
【０００９】
【図１】実施形態に係る、画像処理システムの概略構成を示した機能ブロック図である。
【図２】実施形態に係る、修正対象のドキュメント自身から文字等をコピーして修正するフローを説明する図である。
【図３】実施形態に係る、携帯端末上の設定（文字入力操作）で文字等を入力するフローを説明する図である。
【図４】実施形態に係る、画像形成装置の表示パネル部及び携帯端末の表示パネル部に表示されるドキュメントデータの例を示した図である。
【図５】実施形態に係る、画像形成装置の表示パネル部及び携帯端末の表示パネル部に表示されるドキュメントデータの例を示した図である。
【図６】実施形態に係る、ドキュメント修正処理のフローチャートである。
【図７】実施形態に係る、携帯端末の文字入力操作により修正内容を入力する際に表示される画面例を示した図である。
【発明を実施するための形態】
【００１０】
以下、本発明を実施するための形態（以下、「実施形態」という）について図面を参照して説明する。本実施形態では、画像形成装置でコピー、印刷する際に、ドキュメントの文章などに誤りがある場合、汚れや擦れで文字が見えなくなってしまっている場合、フォントや色を変えたいと思った場合に、印刷前にスマートフォンやタブレットなどの携帯端末を用いて、ドキュメントの修正を行う技術を提案する。
【００１１】
図１は、画像処理システム１の概略構成を示す機能ブロック図である。画像処理システム１は、画像形成装置１０と携帯端末５０とを備え、それらは通信可能に接続されている。
【００１２】
画像形成装置１０は、例えば、複合機（ＭＦＰ）であって、印刷機能、スキャン機能、ＦＡＸ機能等、複数の機能を備える。携帯端末５０は、例えば、タブレット端末やスマートフォンである。
【００１３】
画像形成装置１０は、制御部１１と、通信処理部１２と、記憶部１３と、印刷実行処理部１４と、スキャン実行処理部１５と、ユーザーＩＦ２０と、ドキュメント修正部３０とを備える。
【００１４】
制御部１１は、ＭＰＵ（Micro-Processing Unit）、ＲＯＭ（Read Only Memory）、ＲＡＭ（Random Access Memory）等を備え、各構成要素を統括的に制御することで、印刷出力処理や、原稿等の読み取り処理、構成要素の動作のステータス監視処理や動作制御等を行う。
【００１５】
通信処理部１２は、有線ＬＡＮや無線ＬＡＮ、ＵＳＢ通信等の通信インターフェイスであり、携帯端末５０や他の機器（ＰＣ等）と通信可能に接続される。
【００１６】
記憶部１３は、例えば、容量２５０ＧＢである。印刷実行処理部１４の印刷処理における部数印刷の印刷ジョブや、スキャン実行処理部１５からの送信ジョブが、一旦記憶部１３に蓄積されて実行される。
【００１７】
印刷実行処理部１４は、一般的な印刷実行機能を有し、通信処理部１２からの指示により印刷処理を実行する。スキャン実行処理部１５は、一般的な構成であって、スキャナー、プラテンガラス、原稿読取スリット等を備え、原稿の読み取り処理を実行する。
【００１８】
ユーザーＩＦ２０は、表示パネル部２１と、操作入力部２２を備える。表示パネル部２１は、画像形成装置１０に関するステータス情報や操作情報等を表示する。操作入力部２２は、画像形成装置１０に対するユーザー操作を受け付ける。なお、ここで、操作入力部２２は、表示パネル部２１と一体に構成されるタッチパネル式のインターフェイスであって、スワイプやピンチアウトのような多様な操作を受け付ける。
【００１９】
ドキュメント修正部３０は、修正制御部３１と、修正履歴記録部３２とを備える。修正制御部３１は、携帯端末５０と協同により、画像形成装置１０でコピーが行われる際に、元のドキュメントの文章の一部などに、簡単な文字の間違いがあった場合や、汚れや擦れがあった場合に、修正を行う。また、協同する携帯端末５０を事前に登録する。以下、その処理を、コピードキュメント修正処理と称する。修正履歴記録部３２は、コピードキュメント修正処理の履歴を保存し記録する。
【００２０】
携帯端末５０は、制御部５１と、通信処理部５２と、記憶部５３と、ユーザーＩＦ６０と、端末側ドキュメント修正部７０とを備える。
【００２１】
制御部５１は、ＭＰＵ、ＲＯＭ、ＲＡＭ等を備え、各構成要素を統括的に制御することで、アプリケーションを実行したり、通信接続される他の機器との連動処理を行う。
【００２２】
通信処理部５２は、有線ＬＡＮや無線ＬＡＮ、ＵＳＢ通信等の通信インターフェイスであり、画像形成装置１０や他の機器と通信可能に接続される。
【００２３】
記憶部５３は、例えば、ＲＡＭやメモリーカード等であり、この記憶部５３にアプリケーションがインストールされたり、データが保存されたりする。
【００２４】
ユーザーＩＦ６０は、表示パネル部６１と、操作入力部６２を備える。表示パネル部２１は、アプリケーションを表示さたり、アプリケーションに関連づけられたアイコン等を表示させたりする。操作入力部６２は、携帯端末５０に対するユーザー操作を受け付ける。なお、表示パネル部６１と操作入力部６２は、一体に構成されるタッチパネル式のインターフェイスであって、スワイプやピンチアウトのような多様な操作を受け付ける。
【００２５】
端末側ドキュメント修正部７０は、端末側修正制御部７１と端末側修正履歴記録部７２を備える。端末側修正制御部７１は、画像形成装置１０と協同してコピードキュメント修正処理を行う。端末側修正履歴記録部７２は、コピードキュメント修正処理の履歴を記録し保存する。特に、修正に用いた画像データ（後述のコピー部分Ｃ１１の画像データ）が保存されることで、同様の修正が発生した場合に、その画像データを用いる処理ができる。
【００２６】
図２及び図３を参照してコピードキュメント修正処理の概要を説明する。
図２は修正対象のドキュメント自身から文字等をコピーして修正するフローを説明する図である。画像形成装置１０では、コピー対象のドキュメントがスキャン実行処理部１５でスキャンされ、元ドキュメントデータＤ１１を得る。元ドキュメントデータＤ１１は、記憶部１３に一時的に記憶されるととともに、表示パネル部２１に表示される。
【００２７】
ユーザーは、表示パネル部２１に表示されている元ドキュメントデータＤ１１において、修正する領域である修正部分Ａ１１を指定する。指定された修正部分Ａ１１の画像データは携帯端末５０に送信され、携帯端末５０の表示パネル部２１に拡大されて表示される。なお、修正後のデータの復元がしやすいように、パネル画面上（表示パネル部２１、表示パネル部６１）において囲む四角はすべて一定の大きさで指定するように設定することが望ましい。
【００２８】
つづいて、ユーザーは、画像形成装置１０の表示パネル部２１と操作入力部２２を用いて、元ドキュメントデータＤ１１から修正箇所に嵌め込む内容（すなわちコピー部分Ｃ１１）を選択する。選択されたコピー部分Ｃ１１の画像データは携帯端末５０に送信される。
【００２９】
つぎに、ユーザは、携帯端末５０を用いて、修正部分Ａ１１にコピー部分Ｃ１１を嵌め込み合成し、それが反映された合成済み修正部分Ａ１２を得る。合成済み修正部分Ａ１２の画像データは、画像形成装置１０に送信され、元ドキュメントデータＤ１１の修正部分Ａ１１の領域に嵌め込まれ修正後ドキュメントデータＤ１２が得られる。ユーザーは、この修正後ドキュメントデータＤ１２を印刷出力することで、誤記等が修正されたドキュメント（修正後ドキュメントデータＤ１２）を得ることができる。
【００３０】
図３は修正対象のドキュメントではなく、携帯端末５０上の設定、すなわち文字入力操作で文字等を入力するフローを説明する図である。ユーザーは、画像形成装置１０で元ドキュメントデータＤ２１の修正部分Ａ２１を指定する。指定された修正部分Ａ２１の画像データは携帯端末５０に送信される。
【００３１】
携帯端末５０では、操作入力部６２の操作により、修正部分Ａ２１に嵌め込む文字が端末設定情報Ｆ２１として生成される。端末設定情報Ｆ２１が修正部分Ａ２１に合成され、合成が反映された合成済み修正部分Ａ２２が生成される。合成済み修正部分Ａ２２の画像データは、画像形成装置１０に送信され、元ドキュメントデータＤ２１の修正部分Ａ２１の領域に嵌め込まれ修正後ドキュメントデータＤ２２が得られる。ユーザーは、この修正後ドキュメントデータＤ２２を印刷出力することで、誤記等が修正されたドキュメント（修正後ドキュメントデータＤ２２）を得ることができる。
【００３２】
図４〜図６を参照してコピードキュメント修正処理をより具体的に説明する。
図４及び図５は画像形成装置１０の表示パネル部２１及び携帯端末５０の表示パネル部６１に表示されるドキュメントデータの例を示した図である。図６はドキュメント修正処理のフローチャートである。
【００３３】
ユーザーは、ユーザーＩＦ２０を操作し、コピー出力機能を選択し（Ｓ１０）、さらに、ドキュメント修正処理機能を選択する（Ｓ１２）。このとき、コピー対象のドキュメントが画像形成装置１０から出力されたものであって、記憶部１３にデータが記憶されている場合、記憶部１３から所望のドキュメントが選択される（Ｓ１４）。その後、修正を実行する機器として「携帯端末５０」または「画像形成装置１０」の指定を受ける（Ｓ１６）。
【００３４】
「携帯端末５０」が選択された場合には、図２及び図３で上述したように、携帯端末５０に修正部分Ａ１１が拡大表示され、その表示上で修正処理が行われる。「画像形成装置１０」が選択された場合には、携帯端末５０は用いずに表示パネル部２１に修正部分Ａ１１等を表示させて画像形成装置１０のみで修正処理が行われる。以下では、「携帯端末５０」が選択された場合について説明する。携帯端末５０が選択された場合、修正制御部３１は登録済みであって通信可能な状態の機器を探索し、探索された携帯端末５０を選択可能に表示してもよい。また、携帯端末５０のアプリケーションからドキュメント修正処理機能を立ち上げる指示を画像形成装置１０に対して行ってもよい。
【００３５】
ドキュメント選択及び使用機器選択が行われると、図４（ａ）に示すように、画像形成装置１０の表示パネル部２１に元ドキュメントデータＤ１１が表示される（Ｓ１８）。ここでは、元ドキュメントデータＤ１１は横向きになっている。この状態でユーザーが表示パネル部２１及び操作入力部２２へのタッチ操作によって修正部分Ａ１１を選択すると（Ｓ２０）、修正制御部３１は、修正部分Ａ１１の画像データを携帯端末５０へ送信する（Ｓ２２）。
【００３６】
修正部分Ａ１１の画像データが携帯端末５０に送信されると、図４（ｂ）に示すように、携帯端末５０の表示パネル部６１に修正部分Ａ１１が表示される（Ｓ２４）。このとき、端末側修正制御部７１は、文字認識機能（例えば、ＯＣＲ機能）を用いて、修正部分Ａ１１の向きを検出し、適正な向きに変更する。この処理は、画像形成装置１０が行って、修正部分Ａ１１の向きを変更した画像データが携帯端末５０に送信されてもよい。図４（ｂ）では、一番上の行に汚れ（不鮮明領域Ｂ１１）があり、「インターフェイスブロック」の文章の一部「イス」が不鮮明になっている。
【００３７】
この状態でユーザーが表示パネル部６１及び操作入力部６２へのタッチ操作によって不鮮明領域Ｂ１１を指定すると、図４（ｃ）に示すように、所定の大きさで置換対象領域Ｂ１２が設定される（Ｓ２６）。この大きさは、予め設定された形状のブロック領域であってもよいし、ユーザーがタッチ操作で指定した形状のブロック領域であってもよい。
【００３８】
キャンセルボタンＹ１が押下されると、置換対象領域Ｂ１２が設定される前の表示状態に戻る。ＯＫボタンＹ２が押下されると、置換対象領域Ｂ１２に嵌め込む画像データの指定処理に移行する（Ｓ２８）。画像データの指定処理では、図２で示したように元ドキュメントデータＤ１１を用いるか、図３で示したように文字入力操作で文字等を入力するかのいずれかの処理が選択される。以下では、元ドキュメントデータＤ１１を用いる例について説明する。
【００３９】
置換対象領域Ｂ１２に嵌め込む画像データの指定処理では、まず、図５（ａ）に示すように、画像形成装置１０の表示パネル部２１に元ドキュメントデータＤ１１が表示された状態で、ユーザーが表示パネル部２１及び操作入力部２２へのタッチ操作によってコピー部分Ｃ１１を選択する（Ｓ３０）。コピー部分Ｃ１１には、ユーザーが置換対象領域Ｂ１２に嵌め込みたいと考える領域が含まれる。すなわち、このコピー部分Ｃ１１から置換対象領域Ｂ１２に嵌め込む領域を携帯端末５０で選択することになる。
【００４０】
コピー部分Ｃ１１の選択後、修正制御部３１は、コピー部分Ｃ１１の画像データを携帯端末５０へ送信する（Ｓ３２）。図５（ｂ）に示すように、携帯端末５０の表示パネル部６１には、コピー部分Ｃ１１が向きが変換されたうえで拡大表示される（Ｓ３４）。この状態でユーザーが表示パネル部６１及び操作入力部６２へのタッチ操作によってコピー画像領域Ｃ１２を指定する（Ｓ３６）。ここでは、一番上の行の「デバイス全般設定」文字列から「イス」の部分の画像領域（コピー画像領域Ｃ１２）が指定されている。キャンセルボタンＹ３が押下されると、その時点で選択されている動作・状態が解除され、前の動作・状態に戻る。
【００４１】
コピー画像領域Ｃ１２の指定が完了しＯＫボタンＹ４が押下されると、図５（ｃ）に示すように、置換対象領域Ｂ１２にコピー画像領域Ｃ１２を嵌め込んだ合成済み修正部分Ａ１２が完成する（Ｓ３８）。キャンセルボタンＹ５が押下されると、その時点で選択されている動作・状態が解除され、前の動作・状態に戻る。
【００４２】
なお、合成済み修正部分Ａ１２の完成後、ＯＫボタンＹ６が押下されると、端末側修正制御部７１は、完成した合成済み修正部分Ａ１２を画像形成装置１０に送信する（Ｓ４０）。画像形成装置１０では、表示パネル部２１に合成済み修正部分Ａ１２が合成された修正後ドキュメントデータＤ１２が表示される（Ｓ４２）。ユーザーが適切な修正と判断すれば、修正後ドキュメントデータＤ１２の画像データが印刷出力される（Ｓ４４）。
【００４３】
なお、図７を用いて、画像データの指定処理に移行する際に（Ｓ２８）、図３で示したように文字入力操作で文字等を入力するかのいずれかの処理が選択された場合について説明する。図７は、携帯端末の文字入力操作により修正内容を入力する際に表示される画面例を示している。文字入力操作による入力処理が選択されると、図５ではなく、図７に示すように、携帯端末５０の表示パネル部６１に修正内容入力画面Ｅ１０が表示される。修正内容入力画面Ｅ１０には、文字入力欄Ｅ１１と、文体入力欄Ｅ１２と、幅指定欄Ｅ１３が設けられている。
【００４４】
文字入力欄Ｅ１１には、テキストが入力される。ここでは「イス」が入力された状態である。文体入力欄Ｅ１２には、テキストのフォントの種類が入力される。複数のリストから選択されるように構成されている。「明朝体」や「ゴシック体」などのフォントを携帯端末５０の所定の記憶領域（記憶部５３等）に記憶させておき、端末側修正制御部７１が前後の文字のフォントを識別し、同じフォントを指定する機能が用いられてもよい。もし、修正する部分のフォントを違うものに変更したい場合は、ユーザーが直接指定する。これらの修正記録を、端末側修正履歴記録部７２内にデータとして残しておくことで、違う複合機や機種で操作する場合でも、同様の処理ができる。
【００４５】
幅指定欄Ｅ１３には、置換対象領域Ｂ１２の幅（縦幅及び横幅）が入力されるが、ユーザーによって変更可能であってもよい。
【００４６】
なお、ここで示した入力項目は例示であり、他にフォントの色や太文字、斜体文字等の入力項目が設けられてもよい。
【００４７】
以上、本実施形態によると次のような効果を得られる。修正を行うのは画像形成装置１０のユーザーＩＦ２０（表示パネル部２１、操作入力部２２）上ではなく、スマートフォンやタブレットなどの携帯端末５０を用いる。したがって、画像形成装置１０上のドキュメントの全体図を見ることができる状態が残されて、携帯端末５０で修正を行うので、修正部分の全体への反映を瞬時に確認することができる。また、元ドキュメントデータから合成する画像を抽出する場合、フォントの種類、大きさ等が共通である部分を抽出することが可能となるため、修正後のドキュメントの体裁が自然なものになる。
【００４８】
また、修正を行うことができるＰＣや筆記用具を持ち合わせていない場合であっても、適切に修正を行うことができる。さらに、修正したデータを保存する記録媒体（メモリーカード等）がない場合でも、携帯端末５０を用いて修正を行えば、データを携帯端末５０に保存させておくことができる。また、修正内容を携帯端末５０や画像形成装置１０に記録、登録することで、次回以降の修正作業が容易になる。
【００４９】
以上、本発明を実施形態をもとに説明した。この実施形態は例示であり、それらの各構成要素の組み合わせにいろいろな変形例が可能なこと、またそうした変形例も本発明の範囲にあることは当業者に理解されるところである。
【符号の説明】
【００５０】
１  画像処理システム
１０  画像形成装置
１１  制御部
１２  通信処理部
１３  記憶部
１４  印刷実行処理部
１５  スキャン実行処理部
２０  ユーザーＩＦ
２１  表示パネル部
２２  操作入力部
３０  ドキュメント修正部
３１  修正制御部
３２  修正履歴記録部
５０  携帯端末
５１  制御部
５２  通信処理部
５３  記憶部
６０  ユーザーＩＦ
６１  表示パネル部
６２  操作入力部
７０  端末側ドキュメント修正部
７１  端末側修正制御部
７２  端末側修正履歴記録部
【図１】
2018023022.tif 000003
【図２】
2018023022.tif 000004
【図３】
2018023022.tif 000005
【図４】
2018023022.tif 000006
【図５】
2018023022.tif 000007
【図６】
2018023022.tif 000008
【図７】
2018023022.tif 000009